(57)【特許請求の範囲】
【請求項１】
タッチセンサと、前記タッチセンサの出力部から送出された出力電圧の平均値を算出する平均値算出手段と、前記平均値に基づいて閾値を算出する閾値算出手段と、前記出力電圧と前記閾値とを比較して前記出力電圧が該閾値を超えていると判定した場合には判定信号を出力する比較判定手段とを備え、
前記平均値算出手段が、周期的に前記出力電圧をサンプリングして記録部に出力電圧データとして記録するサンプリング手段と、前記記録部に記録された出力電圧の移動平均値を算出し、前記閾値算出手段に送出する算出手段とからなり、
前記出力部に電圧低下検出手段が接続され、前記電圧低下検出手段は、前記出力電圧が低下したことを検出した場合に電圧の低下を示す信号を出力する検出手段と、前記電圧の低下を示す信号にしたがって前記記録部の前記出力電圧データを消去する記録データ消去手段とを備えることを特徴とするタッチセンサ装置。
【請求項２】
前記電圧低下検出手段が、前記検出手段に接続されたリセット手段を有し、前記電圧の低下を示す信号にしたがって前記リセット手段が前記サンプリング手段に設けられたカウンタをリセットするように構成されていることを特徴とする請求項１記載のタッチセンサ装置。
【請求項３】
タッチセンサの出力部からの出力電圧の平均を算出する平均値算出工程と、算出された平均値から閾値を算出する閾値算出工程と、前記出力電圧と前記閾値とを比較し該出力電圧が該閾値を超えていると判定した場合に機器のＯＮ動作を決定する判定信号を送出する比較判定工程と、を備え、
前記平均値算出工程が、前記出力電圧を周期的にサンプリングし、記録部に出力電圧データとして記録するサンプリング工程と、記録された出力電圧の移動平均値を算出する算出工程とからなり、
前記出力部から、前記出力電圧の低下を検出した場合に出力電圧の低下を示す信号を出力する判断工程と、前記出力電圧の低下を示す信号が出力された場合には、前記記録部に記録された前記出力電圧データを消去する記録データ消去工程とを備えたことを特徴とするタッチセンサを用いた制御方法。
【請求項４】
前記出力電圧の低下を示す信号が出力された場合には、前記サンプリング工程で用いるカウンタをリセットすることを特徴とする請求項３記載のタッチセンサを用いた制御方法。
【請求項５】
請求項１又は２に記載したタッチセンサ装置と、パネル部と、制御部とを備えたタッチパネル装置であって、
前記タッチセンサ装置の入力部としての接触電極がパネル部に設けられ、かつ、前記比較判定手段が、前記制御部に接続されていることを特徴とするタッチパネル装置。
【請求項６】
請求項３又は４に記載されたタッチセンサを用いた制御方法の手順がコンピュータで実行可能となるようにプログラムコードとして記述されたことを特徴とするプログラム。
【発明の詳細な説明】
【技術分野】
【０００１】
本発明は、タッチセンサ装置、制御方法、タッチパネル装置、及びプログラムに関する。
【背景技術】
【０００２】
近年、様々な産業機器に用いられているタッチパネルは、人間がタッチパネルのどの部分に接触したかを検出するタッチセンサを用いている。タッチセンサは、タッチパネル上の電極に人間が接触すると、電極に、人体と等価な静電容量をもつコンデンサが接続されたことと同じ状態になることを利用し、この電極と接地（アース）との間で形成される静電容量の変化を電気信号として検出する。
【０００３】
この場合に、検出される電気信号が閾値より高い電圧かどうかで接触の有無が判断されるが、タッチセンサの周囲の温度や湿度によっても変化してしまう。従って、閾値を固定すると、人体の接触がなくても温度変化により電気信号が閾値を超えてしまい接触ありと判断されることや、また、人体の接触があった場合でも電気信号が閾値を超えられずに接触なしと判断されてしまうことがある。
【０００４】
従来では、このような問題を解決すべく、タッチセンサ装置に温度変化検出手段を設けて、温度変化が検出されると、この温度変化に従って閾電圧を補正するものが知られている（例えば、特許文献１参照）。
【特許文献１】特開平０８−２２３６１号公報（請求項１及び図２参照）
【発明の開示】
【発明が解決しようとする課題】
【０００５】
しかしながら、上記従来技術では、物理的手段により温度変化を検出する必要があり、追加の電子部品が必要でコストアップとなるという問題があった。また、複数のタッチセンサが備えられた多入力の回路においては、温度変化に基づいて各入力に別々の閾値を設定することが困難であるという問題がある。
【０００６】
そこで、本発明の課題は、上記従来技術の問題点を解消することにあり、誤作動の少ないタッチセンサ装置及びこれを用いたタッチパネル装置を、コストアップすることなく提供することにある。また、本発明の課題は、上記従来技術の問題点を解消することにあり、誤作動の少ないタッチセンサを用いた制御方法及びプログラムを提供することにある。
【課題を解決するための手段】
【０００７】
本発明のタッチセンサ装置は、タッチセンサと、前記タッチセンサの出力部から送出された出力電圧の平均値を算出する平均値算出手段と、前記平均値に基づいて閾値を算出する閾値算出手段と、前記出力電圧と前記閾値とを比較して前記出力電圧が該閾値を超えていると判定した場合には判定信号を出力する比較判定手段とを備え、前記平均値算出手段が、周期的に前記出力電圧をサンプリングして記録部に出力電圧データとして記録するサンプリング手段と、前記記録部に記録された出力電圧の移動平均値を算出し、前記閾値算出手段に送出する算出手段とからなり、前記出力部に電圧低下検出手段が接続され、前記電圧低下検出手段は、前記出力電圧が低下したことを検出した場合に電圧の低下を示す信号を出力する検出手段と、前記電圧の低下を示す信号にしたがって前記記録部の前記出力電圧データを消去する記録データ消去手段とを備えることを特徴とする。本発明によれば、閾値を簡易に、かつ確実に補正することができるので、誤作動の少ないタッチセンサ装置とすることができる。かつ、物理的手段を新たに用いる必要がないので、コストアップを抑制することが可能である。
【０００８】
また、周期的に出力電圧をサンプリングしその値から移動平均値を算出することで、環境変化による緩やかな出力電圧の変化に対して適切な閾値を算出することができる。他方で、誘電体（例えば人体）の接触等で出力電圧が急激に増加した場合には、出力電圧をサンプリングしこの値から移動平均値を算出しているので、移動平均値に基づく閾値は、この出力電圧の急激な増加に対してすぐには変動しない。従って、この場合にも適切な閾値を算出することができる。また、サンプリングすることで、効率的に出力電圧の移動平均値を算出することができる。
【０００９】
また、電圧の増加方向の変化に対して移動平均値を算出し、電圧の低下方向の変化に対しては、電圧の低下を示す信号に従って記録部の出力電圧データを消去、即ち誤作動の原因となる人体接触の開放前の出力電圧データを消去することで、新たに上記平均値算出手段及び閾値算出手段で適切な閾値を算出でき、誤作動を防止できる。
【００１０】
さらに、前記電圧低下検出手段が、前記検出手段に接続されたリセット手段を有し、前記電圧の低下を示す信号にしたがって前記リセット手段が前記サンプリング手段に設けられたカウンタをリセットするように構成されていることが好ましい。電圧低下を検出した場合、カウンタをリセットすることで、その時点から新たに出力電圧の平均値を算出することができるので、より閾値を適正なものに補正することが可能だからである。
【００１１】
本発明のタッチセンサを用いた制御方法は、タッチセンサの出力部からの出力電圧の平均を算出する平均値算出工程と、算出された平均値から閾値を算出する閾値算出工程と、前記出力電圧と前記閾値とを比較し該出力電圧が該閾値を超えていると判定した場合に機器のＯＮ動作を決定する判定信号を送出する比較判定工程と、を備え、前記平均値算出工程が、前記出力電圧を周期的にサンプリングし、記録部に出力電圧データとして記録するサンプリング工程と、記録された出力電圧の移動平均値を算出する算出工程とからなり、前記出力部から、前記出力電圧の低下を検出した場合に出力電圧の低下を示す信号を出力する判断工程と、前記出力電圧の低下を示す信号が出力された場合には、前記記録部に記録された前記出力電圧データを消去する記録データ消去工程とを備えたことを特徴とする。本発明によれば、閾値を簡易に補正することができるので、誤作動が少ない。
【００１２】
また、このようにサンプリングを周期的に行うことで、効率的に環境変化に応じた移動平均値、即ち閾値を求めることが可能となる。
【００１３】
また、このように、出力電圧の低下が検出された場合には、記録部に記録された記録データを消去することで、周囲の環境に応じた的確な閾値を求めることができ、その結果誤作動を防止することが可能である。
【００１４】
また、前記出力電圧の低下を示す信号が出力された場合には、前記サンプリング工程で用いるカウンタをリセットすることが好ましい。電圧低下を検出した場合、カウンタをリセットすることで、その時点から新たに出力電圧の平均値を算出することができるので、より閾値を適正なものに補正することが可能だからである。
【００１５】
本発明のタッチパネル装置は、前記タッチセンサ装置と、パネル部と、制御部とを備えたタッチパネル装置であって、前記タッチセンサ装置の入力部としての接触電極がパネル部に設けられ、かつ、前記比較判定手段が、前記制御部に接続されていることを特徴とする。誤作動が少なく、かつ、コストを抑制したタッチセンサ装置を用いていることで、本発明のタッチパネル装置は、誤作動が少なく、かつ、コストを抑制したものとなっている。
【００１６】
また、本発明のプログラムは、前記タッチセンサを用いた制御方法の手順がコンピュータで実行可能となるようにプログラムコードとして記述されたことを特徴とする。誤作動が少ないタッチセンサを用いた制御方法を用いていることで、本発明のプログラムは、誤作動が少ない。
【発明の効果】
【００１７】
本発明によれば、誤作動の少ないタッチセンサ装置及びこれを用いたタッチパネル装置を、コストアップすることなく提供することが可能であるという優れた効果を奏する。また、本発明のタッチセンサを用いた制御方法及び制御方法の手順がプログラムコードとして記述された本発明のプログラムは、閾値を簡易に、かつ確実に補正することができるので、誤作動が少ないという優れた効果を奏する。
【発明を実施するための最良の形態】
【００１８】
第１の実施の形態にかかるタッチセンサ装置について、図１を用いて説明する。図１は、本形態のタッチセンサ装置の構成の概略を示すブロック図である。なお、図１〜図６において、同一の構成要素については同一の符号を付してある。
【００１９】
本形態のタッチセンサ装置１は、タッチセンサ装置に設けられた外部機器の動作を決定するためのものであり、タッチセンサ１１と、タッチセンサ１１の出力部１１１に接続される平均値算出手段１２と、平均値算出手段１２に接続される閾値算出手段１３と、タッチセンサ１１の出力部１１１及び閾値算出手段１３に接続される比較判定手段１４とを備えている。
【００２０】
タッチセンサ１１は、例えば多入力のタッチセンサであり、多数の接触電極を有し、誘電体（例えば人体）の接触電極への接触により、この接触電極と接地（アース）との間で形成される静電容量が変化するので、これを電気信号として検出し、出力部１１１から出力するものである。このタッチセンサ１１は、誘電体の接触がある場合には、誘電体の接触がない場合の電圧よりもＶｔだけ高い電圧を出力するように構成されているが、上述したように温度変化等により、その出力電圧値が一定とはならない。
【００２１】
平均値算出手段１２は、出力部１１１から出力された出力電圧を記録すると共に、記録された出力電圧に基づいて所定の時間当たりの出力電圧の平均値を算出するように構成されている。
【００２２】
閾値算出手段１３は、閾値算出手段１３に入力された値、即ち、平均値算出手段１２により算出された出力電圧の平均値に所定の値を加算して閾値を算出するように構成されている。
【００２３】
比較判定手段１４は、タッチセンサ１１の出力部１１１から送出された出力電圧と閾値算出手段１３で得られた閾値とを比較して、出力電圧が閾値より高いか否かを判定し、高い場合には、ＯＮ状態を示す信号を出力し、低い場合には、ＯＦＦ状態を示す信号を出力して、比較判定手段１４に接続されている図示しない外部機器の制御部に接続され、外部機器のＯＮ−ＯＦＦ動作を決定するように構成されている。
【００２４】
上記構成のタッチセンサ装置１は、タッチセンサ１１からの出力電圧の平均値を平均値算出手段１２により算出し、この出力の平均値から閾値算出手段１３によって閾値を算出して、比較判定手段１４で、タッチセンサ１１からの出力電圧と閾値算出手段１３で算出された閾値とを比較して、外部機器の動作を決定する出力信号を出力する。
【００２５】
即ち、上記構成のタッチセンサ装置１は、タッチセンサ１１周囲の温度変化などによりタッチセンサ１１の出力特性が変化しても、平均値算出手段１２により、この変化に合わせて出力電圧の所定の時間当たりの平均を求め、この平均値に基づいて閾値を求めることができるので、閾値を簡易に補正することができる。従って、温度変化検出手段などの他の物理的手段がなくても、誘電体の接触検出感度が高く、誤作動を防止することができる。
【００２６】
かかる平均値算出手段１２は、具体的には、出力部１１１に接続されたサンプリング手段１２１と、サンプリング手段１２１に接続された記録部１２２と、サンプリング手段１２１及び記録部１２２に接続された算出手段１２３と、サンプリング手段１２１に接続されたカウンタ１２４とからなる。
【００２７】
サンプリング手段１２１は、カウンタ１２４により周期をカウントし、この周期に従って出力部１１１からの出力電圧を周期毎に（例えば時刻ｔ＝０、ｎ、２ｎ、・・・とｎ秒ごとに）サンプリングして記録部１２２に記録するように構成されている。
【００２８】
記録部１２２は、周期的にサンプリングされた各出力電圧値を出力電圧データとして記録できるように構成されている。
【００２９】
算出手段１２３は、記録部１２２に記録された出力電圧値の所定の時間（Ｎ秒）当たりの移動平均値を算出し、算出手段１２３に接続された閾値算出手段１３に出力するように構成されている。即ち、算出手段１２３は、ｎ秒ごとにサンプリングされて記録部１２２に記録された出力電圧データのＮ秒当たりでの移動平均値を算出するように構成されている。
【００３０】
即ち、上記構成の平均値算出手段１２においては、サンプリングされた出力電圧の移動平均値は、時刻ｎ毎に求められる離散的な値となり、例えば時刻ｔ＝０で求めた平均値が閾値算出手段１３に出力され閾値が算出された後、時刻ｔが０＜ｔ＜ｎの場合の間は平均値、即ち閾値は変化せず、ｔ＝ｎの時にｔ＝ｎ時での平均値に基づいて閾値は再度算出され、再設定される。このような平均値算出手段１２の構成によれば、周期的にサンプリングした値のみで移動平均値を求めるので、効率よく平均値を算出することができる。
【００３１】
上記構成によるタッチセンサ装置１を用いた外部機器の制御方法について以下説明する。
【００３２】
タッチセンサ装置１を用いた外部機器の制御方法は、タッチセンサ１１の出力部１１１からの出力電圧の平均を計算し、算出された平均値から閾値を算出して、タッチセンサからの出力電圧が閾電圧より高いかどうかにより外部機器のＯＮ−ＯＦＦ動作を決定するものである。
【００３３】
図２を用いて、この制御方法を詳細に説明する。図２は、タッチセンサ装置１の制御方法を説明するためのフローチャートである。
【００３４】
図２に示すように、ある時刻ｔ＝ｘにタッチセンサ１１の出力部１１１からの出力電圧が平均値算出手段１２に入力される（センサ出力工程：Ｓ１１）と、まず、サンプリング手段１２１により、時刻ｔ＝ｘがサンプリング周期（ｔ＝０、ｎ、２ｎ、・・・）であるかどうか、即ちサンプリングのタイミングであるかどうかが判断される（サンプリング判断工程：Ｓ１２）。
【００３５】
時刻ｔ＝ｘがサンプリングのタイミングである場合には、サンプリング手段１２１によりその出力電圧値がサンプリングされて（サンプリング工程：Ｓ１３）、記録部１２２に記録される（記録工程：Ｓ１４）。次いで、算出手段１２３により、記録部１２２に記録された出力電圧データが呼び出されて（記録データ呼出工程：Ｓ１５）、このデータの移動平均を算出する（平均値算出工程：Ｓ１６）。
【００３６】
次に、平均値算出工程で算出された移動平均値に基づいて、閾値算出手段１３により、閾値が算出され（閾値算出工程：Ｓ１７）、この算出された閾値は比較判定手段１４に入力される。次いで、比較判定手段１４の図示しない記録部に記録されている閾値が算出された閾値に書き換えられて記録される（閾値書き換え工程：Ｓ１８）。これにより、算出された閾値は次回のサンプリングのタイミングまで変更されない。
【００３７】
最後に、タッチセンサ１１からの出力電圧と、比較判定手段１４に入力されている閾値とが比較され、出力電圧の方が閾値を超えているかどうかが比較判定される（比較判定工程：Ｓ１９）。出力電圧の方が閾値を超えている場合には、ＯＮ動作を示す信号が出力され（ＯＮ信号出力工程：Ｓ２０）、外部機器へ送出される。出力電圧の方が閾値よりも小さい場合には、ＯＦＦ動作を示す信号が出力され（ＯＦＦ信号出力工程：Ｓ２１）、外部機器へ送出される。
【００３８】
他方で、サンプリングタイミングではなかった場合（サンプリング工程Ｓ１２参照）、タッチセンサ１１の出力電圧が比較判定手段１４に入力され、比較判定手段１４において、出力電圧と比較判定手段１４に入力され記録されている閾値とが比較される。比較の結果、出力電圧の方が大きいと判定された場合には、ＯＮ動作を示す信号が出力され、外部機器へ出力される。出力電圧の方が小さい場合には、ＯＦＦ動作を示す信号が出力され、外部機器へ出力される。
【００３９】
このようなＳ１１〜Ｓ２１の各工程を繰り返し、所定の時間当たりでの出力電圧の移動平均値が求められこれに基づいて閾値を算出できるので、本制御方法では周囲の環境変化に応じた最適な閾値に補正することができる。
【００４０】
図３（ａ）は、本発明のタッチセンサ装置の作動を示すタイミングチャートである。時刻ｔ＝０〜ｔ１では、人体の接触はないがタッチセンサ周囲の環境により出力電圧が不安定となっている。時刻ｔ＝ｔ１において人体の接触があるためタッチセンサ１１からの出力は急激に増加し、ｔ１＜ｔ＜ｔ２で一定であり、ｔ＝ｔ２において人体の接触が開放されて（人体がタッチセンサから離れて）出力が急激に低下している。この場合に、平均値算出手段１２により周期的（ｔ＝０、ｎ、２ｎ、・・・）に平均値が算出され、これに基づいて閾値が算出されているので、閾値は離散的な値となっている。人体の接触動作があった時刻ｔ１＜ｔ＜ｔ２では出力電圧が閾値を超えているので、比較判定手段１４は、時刻ｔ１＜ｔ＜ｔ２でのみＯＮ動作を示す信号を出力する。
【００４１】
他方で、図３（ｂ）に示す従来のタッチセンサ装置の場合には、閾値が固定されているので、人体の接触がない場合であっても温度変化により出力電圧が変化して閾値よりも高くなり、誤作動が起こる。
【００４２】
このように、本発明によれば、タッチセンサの周囲温度変化等により出力電圧が変化した場合であっても、閾値がこの出力電圧の変化に併せて補正されるので、簡易な構成であるが、誤作動を効果的に防止することができる。
【００４３】
ところで、上記構成において、例えばタッチセンサ装置の電源が投入される以前からタッチセンサに誘電体としての人体が接触している場合には、電源投入時からタッチセンサからの出力電圧が高いため、平均値が高くなる。その結果、閾値も高くなってしまい、一度人体の接触が開放されたとしても（例えば、タッチセンサから手を離しても）、次の閾値の計算のタイミングまで閾値が下がらずに誤作動が生じることを防止する必要がある。
【００４４】
そこで、図４に示すように、第２の実施形態におけるタッチセンサ装置２では、タッチセンサ１１の出力電圧が低下したことを検出する電圧低下検出手段２１を設け、出力電圧の低下が検出された場合には、すぐに閾値を計算するための平均値をリセットするように構成されている。なお、図４は本発明の第２の態様のタッチセンサ装置２の構成を概略的に示すブロック図である。
【００４５】
電圧低下検出手段２１は、具体的には、検出手段２１１、並びに検出手段２１１に接続された記録データ消去手段２１２及びリセット手段２１３からなる。検出手段２１１は、タッチセンサ１１の出力部１１１に接続され、タッチセンサ１１からの出力電圧が低下していることを検出するように、即ち出力電圧が低下していることを検出するように構成されている。具体的には、時間毎の出力電圧のデータから、出力電圧の変化を算出し、変化がマイナスであれば電圧低下を示す信号を出力するように構成されている。
【００４６】
記録データ消去手段２１２は、記録部１２２にも接続されており、検出手段２１１から電圧低下を示す信号が入力されると記録部１２２に記録されている出力電圧データを全て消去するように構成されている。このように記録部１２２のデータを消去することで、電圧低下を示す信号が入力された時点、例えば人体の接触の開放があった時点までの誤作動の原因になる出力電圧データを消去し、この時点から新たにサンプリングを開始して出力電圧の移動平均値の算出を開始することができるので、適切な閾値を算出でき、誤作動を防ぐことが可能である。
【００４７】
リセット手段２１３は、サンプリング手段１２１のカウンタ１２４にも接続されており、検出手段２１１から電圧低下を示す信号が入力されるとカウンタ１２４をリセットするように構成されている。即ち、カウンタ１２４は、検出手段２１１から電圧低下を示す信号が入力されると、ｔ＝０に再設定されるように構成されている。記録部１２２のデータを消去することと合わせてカウンタ１２４をリセットすることで、出力電圧の移動平均値を新たに所定の時間当たりで算出することができるので、より適切な閾値を算出でき、誤作動を防ぐことが可能となる。
【００４８】
このようなタッチセンサ装置２を用いた外部機器の制御方法について図５を用いて説明する。図５に示すタッチセンサ装置２を用いた外部機器の制御方法を示すフローチャートは、電圧低下検出工程Ｓ２２、記録部データ消去工程Ｓ２３、リセット工程Ｓ２４を有する点で、図２に示すタッチセンサ装置１を用いた制御方法を示すフローチャートとは異なっている。
【００４９】
詳細に説明すると、図５に示すフローチャートでは、タッチセンサ１１の出力部１１１から出力電圧が出力される（センサ出力工程：Ｓ１１）と、電圧低下検出手段２１の検出手段２１１により人体の接触の開放等により出力電圧が低下したかどうかが判断される（判断工程：Ｓ２２）。電圧が低下したと判断された場合には、検出手段２１１から、電圧の低下を示す信号が記録データ消去手段２１２及びリセット手段２１３に送出されて、記録データ消去手段２１２により記録部１２２のデータが消去され（記録データ消去工程：Ｓ２３）、次いでカウンタ１２４がリセットされ、時刻ｔ＝０に再設定される（リセット工程：Ｓ２４）。
【００５０】
リセット工程によりタイミングがｔ＝０とされると、サンプリング判断工程（Ｓ１２）でサンプリングのタイミングであると判断されるので、出力電圧値はサンプリングされ、算出手段１２３により、平均値としての出力電圧値が算出され、閾値算出手段１３へ送出される。
【００５１】
電圧低下時の出力電圧が平均値として入力された閾値算出手段１３で閾値が算出され、比較判定手段１４に出力される。比較判定手段１４において、タッチセンサ１１からの出力電圧と、閾値との比較により、出力電圧の方が大きい場合には、ＯＮ動作を示す信号が出力され、外部機器へ出力される。出力電圧の方が小さい場合には、ＯＦＦ動作を示す信号が出力される。
【００５２】
他方で、出力電圧が低下していないと判断された場合には、出力電圧はそのままサンプリング手段１２１に入力され、上述した図２に示す工程（Ｓ１２〜Ｓ２１）と同一の工程が実行される。
【００５３】
このように、本制御方法においては、周囲の環境変化に応じた閾値を求めるに当たり、出力電圧の低下があるか否かを検出し、出力電圧の低下を示す信号が検出されれば、その時点で記録部に記録されていた誤作動の原因となるデータを消去し、かつ、カウンタをリセットすることで、より正確に閾値を求めることができ、タッチセンサの誤作動を防止することが可能である。
【００５４】
図６は、第２の実施形態にかかるタッチセンサ装置２の作動を示すタイミングチャートである。時刻０＜ｔ＜ｔ１では、人体が接触したままであり出力電圧は徐々に変化している。次いで、ｔ＝ｔ１において人体の接触の開放により、出力電圧が急激に低下している。次に、時刻ｔ＝ｔ２において人体の接触があるためタッチセンサ１１からの出力電圧は急激に増加し、ｔ２＜ｔ＜ｔ３で一定であり、ｔ＝ｔ３で出力電圧は急激に低下している。そして、ｔ＝ｔ３まで出力電圧は低下し続けているのでこのｔ３≦ｔ＜ｔ３’までの間、検出手段の出力信号は電圧低下を示す信号を出力し続けている。ｔ＝ｔ３以降、人体の接触がなく出力電圧は徐々に増加し、閾値もこれにともなって徐々に増加する。次いで、時刻ｔ＝ｔ４において人体の接触があるためタッチセンサ１１からの出力電圧は急激に増加し、ｔ４＜ｔ＜ｔ５で一定であり、ｔ＝ｔ５において人体の接触が開放されて出力電圧が急激に低下している。
【００５５】
閾値は、０＜ｔ＜ｔ１、ｔ３’＜ｔ＜ｔ４までは出力電圧の緩やかな増加に合わせて増加する。他方で、検出手段２１１では、時刻ｔ＝ｔ１、ｔ３〜ｔ３’、ｔ５において電圧の低下を示す信号が送出されている。これらの信号に基づいて、これらの時刻で記録部１２２のデータが消去されるとともにカウンタ１２４がリセットされていることから、閾値は時刻ｔ＝ｔ１、ｔ３〜ｔ３’、ｔ５の時点で、それぞれ新たに算出されている。
【００５６】
比較判定手段１４は、人体の接触動作があった時刻ｔ２＜ｔ＜ｔ３、ｔ４＜ｔ＜ｔ５では出力電圧が閾値を超えていることから、時刻ｔ＝ｔ２＜ｔ＜ｔ３、ｔ＝ｔ４＜ｔ＜ｔ５でのみＯＮ動作を示す信号を出力している。
【００５７】
このように、タッチセンサ装置２は、電源投入時からタッチセンサからの出力電圧が高いかったとしても、誘電体としての人体の接触の開放（例えば、タッチセンサから手を離して）に伴って、その時点までに記録されたデータが消去され、カウンタもリセットされるので、その時点で閾値が補正され、誤作動が生じることを防止できる。
【００５８】
上記タッチセンサ装置１及びタッチセンサ装置２と、パネル部と、制御部とを備えたタッチパネル装置、即ち前記タッチセンサの入力部としての接触電極がパネル部に設けられ、かつ、前記比較判定手段１４が、前記制御部に接続されているタッチパネル装置は、誤作動を防止でき、かつ、コストアップも防止できる。
【００５９】
また、上記制御方法は、いずれもプログラムとしてコンピュータで実行可能であるので、この場合、タッチパネル装置を、前記タッチセンサの入力部としての接触電極をパネル部に設け、タッチパネル装置自体に設けられたコンピュータで制御方法を実行するように構成することも可能であり、コストアップを防止できる。
【産業上の利用可能性】
【００６０】
本タッチセンサ装置は、有機ＥＬシート、タッチパネル（例えば、車両に搭載される機器の表示パネルやオーディオ用スイッチ）などのタッチセンサ装置として用いることが可能である。従って、産業機器分野で利用可能である。
【図面の簡単な説明】
【００６１】
【図１】第１の実施形態にかかるタッチセンサ装置１を説明するためのブロック図である。
【図２】第１の実施形態にかかる制御方法を説明するためのフローチャートである。
【図３】図２に示すタッチセンサ装置１の作動を説明するためのタイミングチャートである。
【図４】第２の実施形態にかかるタッチセンサ装置２を説明するためのブロック図である。
【図５】第２の実施形態にかかる制御方法を説明するためのフローチャートである。
【図６】図４に示すタッチセンサ装置２の作動を説明するためのタイミングチャートである。
【符号の説明】
【００６２】
１、２  タッチセンサ装置
１１    タッチセンサ
１２    平均値算出手段
１３    閾値算出手段
１４    比較判定手段
２１    電圧低下検出手段
【図１】
0004794010.tif 000002
【図２】
0004794010.tif 000003
【図３】
0004794010.tif 000004
【図４】
0004794010.tif 000005
【図５】
0004794010.tif 000006
【図６】
0004794010.tif 000007